(57)【特許請求の範囲】
【請求項１】
通信料の決済がクレジットカードにて行うことのできる電話端末に対して入力されたクレジットカード情報を与信機関に通知し、該与信機関での与信判定結果に基づいて電話端末と相手方の端末との通信の可否が制御されるようにしたクレジットカード決済型電話通信システムでの通信制御方法において、
電話端末は、予め登録されたクレジットカード情報と識別情報との対応関係を表す管理情報を参照して、該電話端末に入力されたクレジットカード情報に対応した識別情報が登録されているか否かを判定し、
該電話端末に入力されたクレジットカード情報に対応した識別情報が登録されていると判定されたときに該電話端末からその識別情報を情報管理装置に送信し、
電話端末から上記識別情報が送信された後、かつ上記与信機関での与信判定結果を得る前に、上記電話端末と相手方の端末との間の通信を可能な状態に制御し、
該情報管理装置は、予め登録されたクレジットカード情報と識別情報との対応関係を表す管理情報を参照して、受信した識別情報に対応するクレジットカード情報を上記与信機関に送信するようにした通信制御方法。
【請求項２】
請求項１記載のクレジットカード決済型電話通信システムでの通信制御方法において、
上記電話端末は、当該電話端末に予め登録されたクレジットカード情報と識別情報との対応関係を示す管理情報を参照して、該電話端末に入力されたクレジットカードに対応した識別情報を情報管理装置に送信するようにした通信制御方法。
【請求項３】
請求項１または２記載のクレジットカード決済型電話通信システムでの通信制御方法において、
上記情報管理装置は、当該情報管理装置に予め登録されたクレジットカード情報と識別情報との対応関係を示す管理情報を参照して、該情報管理装置にて受信した識別情報に対応するクレジットカード情報を上記与信機関に送信するようにしたクレジットカード情報通知方法。
【請求項４】
請求項１乃至３いずれか記載のクレジットカード決済型電話通信システムでの通信制御方法において、
上記電話端末に入力されたクレジットカード情報を当該電話端末から上記与信機関に通知し、該与信機関にて当該電話端末と相手方の端末との通信を可能にし得る与信判定結果が得られたときに、上記電話端末及び情報管理装置が利用し得る当該入力されたクレジットカード情報と識別情報との対応関係を表す管理情報を登録するようにした通信制御方法。
【請求項５】
請求項３記載のクレジットカード決済型電話端末通信システムでの通信制御方法において、
上記電話端末は、該電話端末に入力されたクレジットカード情報に対応した識別情報が登録されていないと判定したときに、その入力されたクレジットカード情報を情報管理装置に送信し、
上記情報管理装置は、上記電話端末から送信されたクレジットカード情報を上記与信機関に送信し、
該与信機関にて上記電話端末と相手方の端末との通信を可能にし得る与信判定結果が得られたときに、上記情報管理装置は、上記電話端末から送信されたクレジットカード情報に対して識別情報を付与し、該クレジットカード情報と該識別情報との対応関係を表す管理情報を登録するようにした通信制御方法。
【請求項６】
請求項５記載のクレジットカード決済型電話通信システムでの通信制御方法において、
上記情報管理装置は、上記電話端末から送信されたクレジットカード情報に付与された識別情報を該記電話端末に送信し、
上記電話端末は、該電話端末に入力されたクレジットカード情報と上記情報管理装置から送信された識別情報との対応関係を表す管理情報を当該電話端末の利用しうる管理情報として登録するようにした通信制御方法。
【請求項７】
請求項１乃至６いずれか記載のクレジットカード決済型電話通信システムでの通信制御方法において、
上記与信機関にて与信判定結果が得られる前に上記電話端末と相手方の端末との通信が可能な状態に制御された後に、
該与信機関が上記情報管理装置から送信されたクレジットカード情報に基づいて上記電話端末と相手方の端末との通信を可能にし得る与信判定結果を出したときに、上記電話端末と相手方の端末との通信を可能な状態に維持すると共に、
既に登録されているクレジットカード情報と識別情報の対応関係を表す管理情報における上記電話端末に入力されたクレジットカード情報に対応する識別情報を更新するようにした通信制御方法。
【請求項８】
請求項７記載のクレジットカード決済型電話電話通信システムでの通信制御方法において、
上記与信機関が上記電話端末と相手方の端末との通信を可能にし得る与信判定結果を出したときに、上記情報管理装置は、該情報管理装置が利用し得る既に登録されているクレジットカード情報と識別情報の対応関係を表す情報管理情報における上記電話端末に入力されたクレジットカード情報に対応する識別情報を更新すると共に、更新後の新たな識別情報を電話端末に送信し、
電話端末は、当該電話端末が利用し得る既に格納されているクレジットカード情報と識別情報との対応関係を表す管理情報における当該電話端末に入力されたクレジットカード情報に対応する識別情報を上記情報管理装置から送信された識別情報に更新するようにした通信制御方法。
【請求項９】
請求項１乃至８いずれか記載のクレジットカード決済型電話通信システムでの通信制御方法において、
上記与信機関にて与信判定結果が得られる前に上記電話端末と相手方の端末との通信が可能な状態に制御された後に、
該与信機関が上記情報管理装置から送信されたクレジットカード情報に基づいて上記電話端末と相手方の端末との通信を可能にし得ない与信判定結果を出したときに、上記電話端末と相手方の端末との通信を可能とならない状態に切替えると共に、
既に登録されているクレジットカード情報と識別情報の対応関係を表す管理情報から上記電話端末に入力されたクレジットカード情報と識別情報との対応関係を表す管理情報を削除するようにした通信制御方法。
【請求項１０】
請求項９記載のクレジットカード決済型電話通信システムでの通信制御方法において、
上記与信機関が上記電話端末と相手方の端末との通信を可能にし得ない与信判定結果を出したときに、上記情報管理装置は、該情報管理装置が利用し得る既に登録されているクレジットカード情報と識別情報の対応関係を表す情報管理情報から上記電話端末に入力されたクレジットカード情報と識別情報との対応関係を表す管理情報を削除すると共に、その識別情報を電話端末に送信し、
電話端末は、当該電話端末が利用し得る既に格納されているクレジットカード情報と識別情報との対応関係を表す管理情報から当該電話端末に入力されたクレジットカード情報と上記情報管理装置から送信された識別情報との対応関係を表す管理情報を削除するようにした通信制御方法。
【請求項１１】
通信料の決済がクレジットカードにて行うことのできる電話端末に対して入力されたクレジットカード情報を与信機関に通知し、該与信機関での与信判定結果に基づいて電話端末と相手方の端末との通信の可否が制御されるようにしたクレジットカード決済型電話通信システムにおける通信制御システム方法において、
クレジットカード情報と識別情報との対応関係を表す管理情報が予め登録された管理情報格納手段と、
情報管理装置とを有し、
上記電話端末は、上記管理情報格納手段に格納された管理情報を参照して、該電話端末に入力されたクレジットカード情報に対応した識別情報が登録されているか否かを判定する判定手段と、
該判定手段によって該電話端末に入力されたクレジットカード情報に対応した識別情報が登録されていると判定されたときに、その識別情報を情報管理装置に送信する識別情報送信制御手段とを有し、
電話端末から上記識別情報が送信された後、かつ上記与信機関での与信判定結果を得る前に、上記電話端末と相手方の端末との間の通信を可能な状態に制御する与信前通信許容制御手段を有し、
該情報管理装置は、上記管理情報格納手段に格納された管理情報を参照して、受信した識別情報に対応するクレジットカード情報を上記与信機関に送信する対応クレジットカード情報送信制御手段を有する通信制御システム。
【請求項１２】
請求項１１記載のクレジットカード決済型電話通信システムにおける通信制御システムにおいて、
上記管理情報格納手段は、上記電話端末にて利用可能な第一の管理情報格納手段と、上記情報管理装置にて利用可能な第二の管理情報格納手段として二重化された通信制御システム。
【請求項１３】
請求項１２記載のクレジットカード決済型電話通信システムにおける通信制御システムにおいて、
上記電話端末が上記第一の管理情報格納手段を有する通信制御システム。
【請求項１４】
請求項１２または１３記載のクレジットカード決済型電話通信システムにおける通信制御システムにおいて、
上記情報管理装置が上記第二の管理情報格納手段を有する通信制御システム。
【請求項１５】
請求項１１乃至１４いずれか記載のクレジットカード決済型電話通信システムにおける通信制御システムにおいて、
上記電話端末に入力されたクレジットカード情報が当該電話端末から上記与信機関に通知され、該与信機関にて当該電話端末と相手方の端末との通信を可能にし得る与信判定結果が得られたときに、上記管理情報格納手段に上記電話端末に入力されたクレジットカード情報と識別情報との対応関係を表す管理情報を登録する管理情報登録手段を有する通信制御システム。
【請求項１６】
請求項１２乃至１４いずれか記載のクレジットカード決済型電話通信システムにおける通信制御システムにおいて、
上記情報管理装置は、上記電話端末に入力されたクレジットカード情報が当該電話端末から上記与信機関に通知され、該与信機関にて当該電話端末と相手方の端末との通信を可能にし得る与信判定結果が得られたときに、上記電話端末から送信されたクレジットカード情報に対して識別情報を付与し、該クレジットカード情報と該識別情報との対応関係を上記第二の管理情報格納手段に登録する第一の管理情報登録手段とを有する通信制御システム。
【請求項１７】
請求項１６記載のクレジットカード決済型電話通信システムにおける通信制御システムにおいて、
上記情報管理装置は、上記電話端末から送信されたクレジットカード情報に付与された識別情報を該記電話端末に送信する付与識別情報送信制御手段を有し、
上記電話端末は、該電話端末に入力されたクレジットカード情報と上記情報管理装置から送信された識別情報との対応関係を表す管理情報を上記第一の管理情報格納手段に登録する第二の管理情報登録手段を有する通信制御システム。
【請求項１８】
請求項１１乃至１７いずれか記載のクレジットカード決済型電話通信システムにおける通信制御システムにおいて、
上記与信前通信許容制御手段により上記電話端末と相手方の端末との通信が可能な状態に制御された後に、該与信機関が上記情報管理装置から送信されたクレジットカード情報に基づいて上記電話端末と相手方の端末との通信を可能にし得る与信判定結果を出したときに、上記電話端末と相手方の端末との通信を可能な状態に維持する通信継続制御手段と、
上記管理情報格納手段に既に登録されているクレジットカード情報と識別情報の対応関係を表す管理情報における上記電話端末に入力されたクレジットカード情報に対応する識別情報を更新する識別情報更新手段を有する通信制御システム。
【請求項１９】
請求項１２乃至１４、１６及び１７いずれか記載のクレジットカード決済型電話電話通信システムでの通信制御システムにおいて、
上記与信前通信許容制御手段により上記電話端末と相手方の端末との通信が可能な状態に制御された後に、該与信機関が上記情報管理装置から送信されたクレジットカード情報に基づいて上記電話端末と相手方の端末との通信を可能にし得る与信判定結果を出したときに、上記電話端末と相手方の端末との通信を可能な状態に維持する通信継続制御手段を有し、
上記情報管理装置は、上記第二の管理情報格納手段に既に登録されているクレジットカード情報と識別情報の対応関係を表す情報管理情報における上記電話端末に入力されたクレジットカード情報に対応する識別情報を更新する第一の識別情報更新手段と、
該第一の識別情報更新手段にて得られた更新後の新たな識別情報を電話端末に送信する更新識別情報送信制御手段とを有し、
電話端末は、上記第一の管理情報格納手段に既に登録されているクレジットカード情報と識別情報との対応関係を表す管理情報における当該電話端末に入力されたクレジットカード情報に対応する識別情報を上記情報管理装置から送信された識別情報に更新する第二の識別情報更新手段を有する通信制御システム。
【請求項２０】
請求項１１乃至１９いずれか記載のクレジットカード決済型電話通信システムでの通信制御システムにおいて、
上記与信前通信許容制御手段により上記電話端末と相手方の端末との通信が可能な状態に制御された後に、該与信機関が上記情報管理装置から送信されたクレジットカード情報に基づいて上記電話端末と相手方の端末との通信を可能にし得ない与信判定結果を出したときに、上記電話端末と相手方の端末との通信を可能とならない状態に切替える通信状態切替え制御手段と、
上記管理情報格納手段に既に登録されているクレジットカード情報と識別情報の対応関係を表す管理情報から上記電話端末に入力されたクレジットカード情報と識別情報との対応関係を表す管理情報を削除する管理情報削除手段とを有する通信制御システム。
【請求項２１】
請求項１２乃至１４、１６、１７及び１９いずれか記載のクレジットカード決済型電話通信システムでの通信制御システムにおいて、
上記与信前通信許容制御手段により上記電話端末と相手方の端末との通信が可能な状態に制御された後に、該与信機関が上記情報管理装置から送信されたクレジットカード情報に基づいて上記電話端末と相手方の端末との通信を可能にし得ない与信判定結果を出したときに、上記電話端末と相手方の端末との通信を可能とならない状態に切替える通信状態切替え制御手段を有し、
上記情報管理装置は、上記第二の管理情報格納手段に既に登録されているクレジットカード情報と識別情報の対応関係を表す情報管理情報から上記電話端末に入力されたクレジットカード情報と識別情報との対応関係を表す管理情報を削除する第一の管理情報削除手段と、
該第一の管理情報削除手段にて削除された管理情報に係る識別情報を電話端末に送信する削除識別情報送信制御手段とを有し、
電話端末は、上記第一の管理情報格納手段に既に格納されているクレジットカード情報と識別情報との対応関係を表す管理情報から当該電話端末に入力されたクレジットカード情報と上記情報管理装置から送信された識別情報との対応関係を表す管理情報を削除する第二の管理情報削除手段を有する通信制御システム。
【請求項２２】
請求項１１乃至２０記載のクレジットカード決済型電話通信システムにおける通信制御システムにおいて、
上記クレジットカード決済型電話通信システムは、上記電話端末に接続された無線機、基地局及び交換機を有する無線通信システムであり、
電話端末から上記情報管理装置に送信すべき情報が、無線機と基地局間の無線区間及び基地局から交換機を経由する所定の通信経路を介して転送されるようにした通信制御システム。
【請求項２３】
請求項２２記載のクレジットカード決済型電話通信システムにおける通信制御システムにおいて、
上記電話端末の識別情報送信制御手段は、上記識別情報を無線機から基地局を介して交換機に送信される発呼要求に係る制御信号に含めて送信させるようにした通信制御システム。
【請求項２４】
通信料の決済がクレジットカードにて行うことのできる電話電話端末に対して入力されたクレジットカード情報を与信機関に通知し、該与信機関での与信判定結果に基づいて電話端末と相手方の端末との通信の可否が制御されるようにしたクレジットカード決済型電話通信システムにおける当該電話端末において、
予め登録されたクレジットカード情報と識別情報との関係を表す管理情報を参照して、該電話端末に入力されたクレジットカード情報に対応した識別情報が登録されているか否かを判定する判定手段と、
該判定手段によって該電話端末に入力されたクレジットカード情報に対応した識別情報が登録されていると判定されたときに、その識別情報を情報管理装置に送信する識別情報送信制御手段とを有し、
該電話端末から上記識別情報が送信されたことを契機として上記与信機関での与信判定結果を得る前に上記電話端末と相手方の端末との間の通信が可能な状態に制御された後に、上記情報管理装置が、予め登録されたクレジットカード情報と識別情報との対応関係を表す管理情報を参照して、当該電話端末から送信される識別情報に対応したクレジットカード情報を与信機関に送信できるようにした電話端末。
【請求項２５】
請求項２４記載の電話端末において、
上記クレジットカード情報と識別情報との対応関係を表す管理情報を格納する管理情報格納手段を有する電話端末。
【請求項２６】
請求項２５記載の電話端末において、
当該電話端末に入力されたクレジットカード情報を上記情報管理装置に送信した後に、上記情報管理装置から当該クレジットカード情報に付与された識別情報が送信されてきたときに、該入力されたクレジットカード情報と上記情報管理装置から送信された識別情報の対応関係を表す管理情報を上記管理情報格納手段に登録する管理情報登録手段を有する電話端末。
【請求項２７】
請求項２５または２６記載の電話端末において、
上記識別情報送信制御手段により入力されたクレジットカード情報に対応する識別情報を送信した後に、上記情報管理装置からの上記識別情報と異なる識別情報を上記入力されたクレジットカード情報に対応する識別情報として受信したときに、上記管理情報格納手段に既に格納されているクレジットカード情報と識別情報との対応関係を示す管理情報における当該電話端末に入力されたクレジットカード情報に対応する識別情報を受信した識別情報に更新する識別情報更新手段を有する電話端末。
【請求項２８】
請求項２５乃至２７記載の電話端末において、
上記識別情報送信制御手段により入力されたクレジットカード情報に対応する識別情報を送信した後に、上記管理装置からの上記識別情報と異なる識別情報を削除すべき識別情報として受信したときに、上記管理情報格納手段に既に格納されているクレジットカード情報と識別情報との対応関係を表す管理情報から上記電話端末に入力されたクレジットカード情報と上記受信した識別情報との対応関係を表す管理情報を削除する管理情報削除手段とを有する電話端末。
【請求項２９】
通信料の決済がクレジットカードにて行うことのできる電話端末に対して入力されたクレジットカード情報を与信機関に通知し、該与信機関での与信判定結果に基づいて電話端末と相手方の端末との通信の可否が制御されるようにしたクレジットカード決済型電話通信システムにおける上記与信機関への上記クレジットカード情報の通知に用いられる情報管理装置において、
上記電話端末から当該電話端末に入力されたクレジットカード情報送信されることを契機として上記与信機関での与信判定結果を得る前に上記電話端末と相手方の端末との通信が可能な状態に制御された後に、上記電話端末から送信された識別情報を受信したときに、予め登録されたクレジットカード情報と識別情報との対応関係を表す管理情報を参照して、上記受信した識別情報に対応するクレジットカード情報を上記与信機関に送信するクレジットカード情報送信制御手段を有する情報管理装置。
【請求項３０】
請求項２９記載の情報管理装置において、
上記クレジットカード情報と識別情報との対応関係を表す管理情報を格納する管理情報格納手段を有する情報管理装置。
【請求項３１】
請求項３０記載の情報管理装置において、
上記電話端末から該電話端末に入力されたクレジットカード情報が送信されてきたときに、そのクレジットカード情報に識別番号を付与して当該クレジットカード情報と識別情報との対応関係を表す管理情報を上記管理情報格納手段に登録する管理情報登録手段を有する情報管理装置。
【請求項３２】
請求項３１記載の情報管理装置において、
上記与信機関での与信判定結果に基づいて上記電話端末と相手方の端末との間の通信が可能な状態に維持される場合に、上記クレジットカード情報に付与された識別情報を上記電話端末に送信する付与識別情報送信制御手段を有し、
上記電話端末が入力されたクレジットカード情報と上記付与された識別情報との対応関係を表す管理情報を得ることができるようにした情報管理装置。
【請求項３３】
請求項３０乃至３２いずれか記載の情報管理装置において、
上記与信判定が得られる前に上記電話端末と相手方の端末との間の通信を可能な状態に制御されている際に、上記電話端末と相手方の端末との通信を可能とすべき与信判定結果が与信機関から送信されたときに、上記管理情報格納手段に格納されているクレジットカード情報と識別情報との対応関係を表す管理情報における上記電話端末に入力されたクレジットカード情報に対応する識別情報を更新する識別情報更新手段と、
該識別情報更新手段にて得られた識別情報を上記電話端末に送信する更新管理情報送信制御手段とを有し、
上記電話端末がクレジットカード情報と識別情報との対応関係を表す管理情報における上記電話端末に入力されたクレジットカード情報に対応する識別情報を更新できるようにした情報管理装置。
【請求項３４】
請求項３０乃至３３いずれか記載の情報管理装置において、
上記与信判定が得られる前に上記電話端末と相手方の端末との間の通信を可能な状態に制御されている際に、上記電話端末と相手方の端末との間の通信を可能とすべきでない与信判定結果が与信機関から送信されたときに、上記管理情報格納手段に既に格納されているクレジットカード情報と識別情報との対応関係を表す管理情報から上記電話端末に入力されたクレジットカード情報と識別情報との対応関係を削除する管理情報削除手段と、
その識別情報を上記電話端末に送信する削除識別情報送信制御手段とを有し、
上記電話端末がクレジットカード情報と識別情報との対応関係を表す管理情報から上記電話端末に入力されたクレジットカード情報と当該情報管理装置から送信された識別情報との対応関係を削除することができるようにした情報管理装置。
【発明の詳細な説明】
【０００１】
【発明の属する技術分野】
本発明は、クレジットカード決済型電話通信システムでの通信制御方法及びシステムに係り、詳しくは、クレジットカード決済型電話端末に対して入力されたクレジットカード情報を与信機関に通知し、該与信機関での与信判定結果に基づいて電話端末と相手方の端末との通信の可否が制御されるようにしたクレジットカード決済型電話通信システムにおける通信制御方法及びシステムに関する。
【０００２】
また、本発明は、そのようなクレジットカード情報の通知方法及びシステムに適したクレジットカード決済型電話端末に関する。
【０００３】
更に、上記クレジットカード情報の通知方法及びシステムに適した情報管理装置に関する。
【０００４】
【従来の技術】
従来、クレジットカード決済型電話通信システムでは、クレジットカード決済型電話端末において、例えば、磁気的にクレジットカード情報（クレジットカード番号、利用者名、有効期限など）が記録されたクレジットカードの読取りが行われると、その読取られたクレジットカード情報が当該電話端末から電話通信システムの通信経路を介して与信機関に通知される。そして、与信機関にて上記クレジットカード情報に基づいて与信判定処理が行われる。この与信判定処理にて正常な与信判定結果が得られると、その情報が上記通信経路を介して上記電話端末に転送され、当該電話端末と相手方の端末との通信が可能となるように回線接続がなされる。
【０００５】
【発明が解決しようとする課題】
従来のクレジットカード決済型電話通信システムでは、上述したように、電話端末からクレジットカード情報が送信され、そのクレジットカード情報が電話通信システムの通信経路を介して与信機関に転送され、そして、その与信機関での与信判定結果が電話端末に転送された後に、当該電話端末での通信が可能となる。このため、電話端末の利用者は、クレジットカード情報を入力してから通信が可能になるまで、比較的長い時間待たされてしまう。
【０００６】
そこで、本発明の第一の課題は、クレジットカード決済型電話通信システムにおいてクレジットカード情報を電話端末に入力してから通信が可能になるまでの時間をできるだけ短くすることができるような通信制御方法及びシステムを提供することである。
【０００７】
また、本発明の第二の課題は、上記のような通信制御方法及びシステムに適したクレジット決済型電話端末を提供することである。
【０００８】
更に、本発明の第三の課題は、上記のような通信制御方法及びシステムに適した情報管理装置を提供することである。
【０００９】
【課題を解決するための手段】
上記第一の課題を解決するため、本発明は、請求項１に記載されるように、通信料の決済がクレジットカードにて行うことのできる電話端末に対して入力されたクレジットカード情報を与信機関に通知し、該与信機関での与信判定結果に基づいて電話端末と相手方の端末との通信の可否が制御されるようにしたクレジットカード決済型電話通信システムでの通信制御方法において、電話端末は、予め登録されたクレジットカード情報と識別情報との対応関係を表す管理情報を参照して、該電話端末に入力されたクレジットカード情報に対応した識別情報が登録されているか否かを判定し、該電話端末に入力されたクレジットカード情報に対応した識別情報が登録されていると判定されたときに該電話端末からその識別情報を情報管理装置に送信し、電話端末から上記識別情報が送信された後、かつ上記与信機関での与信判定結果を得る前に、上記電話端末と相手方の端末との間の通信を可能な状態に制御し、該情報管理装置は、予め登録されたクレジットカード情報と識別情報との対応関係を表す管理情報を参照して、受信した識別情報に対応するクレジットカード情報を上記与信機関に送信するように構成される。
【００１０】
このような通信制御方法では、予め登録されたクレジットカード情報と識別情報との対応関係を表す管理情報に電話端末に入力されたクレジットカード情報に対応する識別情報が存在す場合、電話端末から識別情報が送信された後で、かつ上記与信機関での与信結果を得る前に上記電話端末と相手方の端末との間の通信が可能な状態に制御される。即ち、クレジットカード情報に基づいた与信機関での与信判定結果が得られる前に電話端末の利用者は通信が可能となる。
【００１１】
上記のように与信判定結果が得られ得る前に通信が可能な状態になった後に、与信機関は情報管理装置から送信されるクレジットカード情報に基づいて与信判定を行い、その与信判定結果に基づいて上記のように電話端末と相手方の端末との間の通信が可能になった状態を維持またはその通信を可能でなくすることが可能である。
【００１２】
また、上記のようにクレジットカード情報と識別情報との対応関係を表す管理情報を予め登録しておくということで、電話端末に入力されたクレジットカード情報に基づいて正常な与信判定結果が得られることを保証することが可能となる。登録の条件を厳格にするほど、その保証の信頼性が高くなる。
【００１３】
上記クレジットカード情報と識別情報との対応関係を表す管理情報は、上記電話端末と情報管理装置が利用しうるものであれば、その格納場所は制限されない。
【００１４】
電話端末がより早く入力されたクレジットカード情報に対応した識別情報を取得できるという観点から本発明は、請求項２に記載されるように、上記クレジットカード決済型電話通信システムでの通信制御方法において、上記電話端末は、当該電話端末に予め登録されたクレジットカード情報と識別情報との対応関係を示す管理情報を参照して、該電話端末に入力されたクレジットカードに対応した識別情報を情報管理装置に送信するように構成することができる。
【００１５】
また、上記情報管理装置が識別情報に対応したクレジットカード情報をより迅速に与信機関に通知できるという観点から、本発明は、請求項３に記載されるように、上記各クレジットカード決済型電話通信システムでの通信制御方法において、上記情報管理装置は、当該情報管理装置に予め登録されたクレジットカード情報と識別情報との対応関係を示す管理情報を参照して、該情報管理装置にて受信した識別情報に対応するクレジットカード情報を上記与信機関に送信するように構成することができる。
【００１６】
与信判定結果が得られる前に電話端末と相手方の端末との間の通信が可能となった後、与信機関で当該通信が可能としうる与信判定結果が得られる保証の信頼性がより高められるという観点から、本発明は、請求項４に記載されるように、上記各クレジットカード決済型電話通信システムでの通信制御方法において、上記電話端末に入力されたクレジットカード情報を当該電話端末から上記与信機関に通知し、該与信機関にて当該電話端末と相手方の端末との通信を可能にし得る与信判定結果が得られたときに、上記電話端末及び情報管理装置が利用し得る当該入力されたクレジットカード情報と識別情報との対応関係を表す管理情報を登録するように構成することができる。
【００１７】
このような通信制御方法では、クレジットカード情報に基づいて電話端末と相手方の端末との間の通信を可能にし得るという与信結果を実際に得られた場合に、そのクレジットカード情報と識別情報との対応関係を表す管理情報が登録される。従って、その登録から電話端末からのその後の発信までの間にクレジットカード情報に対する与信に影響が与える事情が無い限り、その電話端末からの発信に対して通信可能な状態にした後に得られる与信判定結果も同様に通信を可能にし得る結果となる。
【００１８】
また、上記管理情報の登録が効率的にできるという観点から、本発明は、請求項５に記載されるように、上記クレジットカード決済型電話端末通信システムでの通信制御方法において、上記電話端末は、該電話端末に入力されたクレジットカード情報に対応した識別情報が登録されていないと判定したときに、その入力されたクレジットカード情報を情報管理装置に送信し、上記情報管理装置は、上記電話端末から送信されたクレジットカード情報を上記与信機関に送信し、該与信機関にて上記電話端末と相手方の端末との通信を可能にし得る与信判定結果が得られたときに、上記情報管理装置は、上記電話端末から送信されたクレジットカード情報に対して識別情報を付与し、該クレジットカード情報と該識別情報との対応関係を表す管理情報を登録するように構成することができる。
【００１９】
同様の観点から、本発明は、請求項６に記載されるように、上記クレジットカード決済型電話通信システムでの通信制御方法において、上記情報管理装置は、上記電話端末から送信されたクレジットカード情報に付与された識別情報を該記電話端末に送信し、上記電話端末は、該電話端末に入力されたクレジットカード情報と上記情報管理装置から送信された識別情報との対応関係を表す管理情報を当該電話端末の利用しうる管理情報として登録するように構成することができる。
【００２０】
より高いセキュリティを確保できるという観点から、本発明は、請求項７に記載されるように、上記各クレジットカード決済型電話通信システムでの通信制御方法において、上記与信機関にて与信判定結果が得られる前に上記電話端末と相手方の端末との通信が可能な状態に制御された後に、該与信機関が上記情報管理装置から送信されたクレジットカード情報に基づいて上記電話端末と相手方の端末との通信を可能にし得る与信判定結果を出したときに、上記電話端末と相手方の端末との通信を可能な状態に維持すると共に、既に登録されているクレジットカード情報と識別情報の対応関係を表す管理情報における上記電話端末に入力されたクレジットカード情報に対応する識別情報を更新するように構成することができる。
【００２１】
このような通信制御方法では、クレジットカード情報に対応する識別情報が更新されるので、識別情報を盗用されても、その識別情報に対応したクレジットカード情報を与信機関に通知することができなくなる。
【００２２】
その識別情報の更新が効率的にできるという観点から、本発明は、請求項８に記載されるように、上記クレジットカード決済型電話電話通信システムでの通信制御方法において、上記与信機関が上記電話端末と相手方の端末との通信を可能にし得る与信判定結果を出したときに、上記情報管理装置は、該情報管理装置が利用し得る既に登録されているクレジットカード情報と識別情報の対応関係を表す情報管理情報における上記電話端末に入力されたクレジットカード情報に対応する識別情報を更新すると共に、更新後の新たな識別情報を電話端末に送信し、電話端末は、当該電話端末が利用し得る既に格納されているクレジットカード情報と識別情報との対応関係を表す管理情報における当該電話端末に入力されたクレジットカード情報に対応する識別情報を上記情報管理装置から送信された識別情報に更新するように構成することができる。
【００２３】
正常な与信判定結果が得られなかった際の手順を提供するという観点から、本発明は、請求項９に記載されるように、上記各クレジットカード決済型電話通信システムでの通信制御方法において、上記与信機関にて与信判定結果が得られる前に上記電話端末と相手方の端末との通信が可能な状態に制御された後に、該与信機関が上記情報管理装置から送信されたクレジットカード情報に基づいて上記電話端末と相手方の端末との通信を可能にし得ない与信判定結果を出したときに、上記電話端末と相手方の端末との通信を可能とならない状態に切替えると共に、既に登録されているクレジットカード情報と識別情報の対応関係を表す管理情報から上記電話端末に入力されたクレジットカード情報と識別情報との対応関係を表す管理情報を削除するように構成することができる。
【００２４】
このような通信制御方法では、与信機関にて与信判定結果が得られる前に上記電話端末と相手方の端末との通信を可能な状態にした後に、その通信を可能にすべきでないという与信判定結果が実際に得られた場合、その通信を可能としない状態に切替えられる。そして、電話端末に入力されたクレジットカード情報と識別情報との対応関係を表す管理情報が削除されることにより、次に、電話端末に同じクレジットカード番号を入力しても、そのクレジットカード番号に対応した識別情報は存在しないと判定される。
【００２５】
上記クレジットカード情報と識別情報との対応関係を表す管理情報の削除が効率的にできるという観点から、本発明は、請求項１０に記載されるように、上記クレジットカード決済型電話通信システムでの通信制御方法において、上記与信機関が上記電話端末と相手方の端末との通信を可能にし得ない与信判定結果を出したときに、上記情報管理装置は、該情報管理装置が利用し得る既に登録されているクレジットカード情報と識別情報の対応関係を表す情報管理情報から上記電話端末に入力されたクレジットカード情報と識別情報との対応関係を表す管理情報を削除すると共に、その識別情報を電話端末に送信し、電話端末は、当該電話端末が利用し得る既に格納されているクレジットカード情報と識別情報との対応関係を表す管理情報から当該電話端末に入力されたクレジットカード情報と上記情報管理装置から送信された識別情報との対応関係を表す管理情報を削除するように構成することができる。
【００２６】
また、上記第一の課題を解決するため、本発明は、請求項１１に記載されるように、通信料の決済がクレジットカードにて行うことのできる電話端末に対して入力されたクレジットカード情報を与信機関に通知し、該与信機関での与信判定結果に基づいて電話端末と相手方の端末との通信の可否が制御されるようにしたクレジットカード決済型電話通信システムにおける通信制御システムにおいて、クレジットカード情報と識別情報との対応関係を表す管理情報が予め登録された管理情報格納手段と、情報管理装置とを有し、上記電話端末は、上記管理情報格納手段に格納された管理情報を参照して、該電話端末に入力されたクレジットカード情報に対応した識別情報が登録されているか否かを判定する判定手段と、該判定手段によって該電話端末に入力されたクレジットカード情報に対応した識別情報が登録されていると判定されたときに、その識別情報を情報管理装置に送信する識別情報送信制御手段とを有し、電話端末から上記識別情報が送信された後、かつ上記与信機関での与信判定結果を得る前に、上記電話端末と相手方の端末との間の通信を可能な状態に制御する与信前通信許容制御手段を有し、該情報管理装置は、上記管理情報格納手段に格納された管理情報を参照して、受信した識別情報に対応するクレジットカード情報を上記与信機関に送信する対応クレジットカード情報送信制御手段を有するように構成される。
【００２７】
本発明は、請求項２２に記載されるように、上記クレジットカード決済型電話通信システムにおける通信制御システムにおいて、上記クレジットカード決済型電話通信システムは、上記電話端末に接続された無線機、基地局及び交換機を有する無線通信システムであり、電話端末から上記情報管理装置に送信すべき情報が、無線機と基地局間の無線区間及び基地局から交換機を経由する所定の通信経路を介して転送されるように構成することができる。
【００２８】
より迅速に識別情報を送信できるとう観点から、本発明は、請求項２３に記載されるように、上記クレジットカード決済型電話通信システムにおける通信制御システムにおいて、上記電話端末の識別情報送信制御手段は、上記識別情報を無線機から基地局を介して交換機に送信される発呼要求に係る制御信号に含めて送信させるように構成することができる。
【００２９】
上記第二の課題を解決するため、本発明は、請求項２４に記載されるように、通信料の決済がクレジットカードにて行うことのできる電話電話端末に対して入力されたクレジットカード情報を与信機関に通知し、該与信機関での与信判定結果に基づいて電話端末と相手方の端末との通信の可否が制御されるようにしたクレジットカード決済型電話通信システムにおける当該電話端末において、予め登録されたクレジットカード情報と識別情報との関係を表す管理情報を参照して、該電話端末に入力されたクレジットカード情報に対応した識別情報が登録されているか否かを判定する判定手段と、該判定手段によって該電話端末に入力されたクレジットカード情報に対応した識別情報が登録されていると判定されたときに、その識別情報を情報管理装置に送信する識別情報送信制御手段とを有し、該電話端末から上記識別情報が送信されたことを契機として上記与信機関での与信判定結果を得る前に上記電話端末と相手方の端末との間の通信が可能な状態に制御された後に、上記情報管理装置が、予め登録されたクレジットカード情報と識別情報との対応関係を表す管理情報を参照して、当該電話端末から送信される識別情報に対応したクレジットカード情報を与信機関に送信できるように構成される。
【００３０】
更に、上記第三の課題を解決するため、本発明は、請求項２９に記載されるように、通信料の決済がクレジットカードにて行うことのできる電話端末に対して入力されたクレジットカード情報を与信機関に通知し、該与信機関での与信判定結果に基づいて電話端末と相手方の端末との通信の可否が制御されるようにしたクレジットカード決済型電話通信システムにおける上記与信機関への上記クレジットカード情報の通知に用いられる情報管理装置において、上記電話端末から当該電話端末に入力されたクレジットカード情報送信されることを契機として上記与信機関での与信判定結果を得る前に上記電話端末と相手方の端末との通信が可能な状態に制御された後に、上記電話端末から送信された識別情報を受信したときに、予め登録されたクレジットカード情報と識別情報との対応関係を表す管理情報を参照して、上記受信した識別情報に対応するクレジットカード情報を上記与信機関に送信するクレジットカード情報送信制御手段を有するように構成される。
【００３１】
【発明の実施の形態】
以下、本発明の実施の形態を図面に基づいて説明する。
【００３２】
本発明の実施の一形態に係るクレジットカード決済型電話通信システムは、例えば、図１に示すように構成される。この例は、船舶、航空機などの移動体に設置されたクレジットカード決済型電話端末にて通信（通話、データ通信）を行えるようにした移動通信システムである。
【００３３】
図１において、クレジットカード決済型電話端末（以下、単に電話端末という）１０は無線機２０に接続されている。この電話端末１０は無線機２０と共に、例えば、船舶に設置される。このように船舶に設置された電話端末は、その航海の間に乗務員、乗客により繰返し利用される。
【００３４】
無線機２０は、移動通信システムにおける通信端末であり、交換機１００に接続された基地局１０１と無線通信を行う。交換機１００は所定の通信網ＮＷに接続され、電話端末１０は、無線機２０、基地局１０１、交換機１００及び通信網ＮＷを介して他の端末と通信（通話、データ通信）を行えるようになっている。
【００３５】
また、交換機１００はクレジットカード認証サーバ１１０に接続される。このクレジットカード認証サーバ１１０は、更に、クレジットカードによる決済に際して与信判定を行うクレジットカードセンタ２００に、例えば、専用線によって接続されている。上記クレジットカード認証サーバ１１０は、後述するように、電話端末１０からの暗号化されたクレジットカード情報またはクレジットカード情報に対応付けられた論理ＩＤを無線機１０、基地局１０１及び交換機１００を介して受信する。そして、クレジットカード認証サーバ１１０は、暗号化されたクレジットカード情報を復号し、その復号により得られた元のクレジットカード情報、または、受信した論理ＩＤに対応するクレジットカード情報をクレジットカードセンタ２００に送信する。
【００３６】
クレジットカードセンタ２００は、受信したクレジットカード情報に基づいて与信判定処理を行い、その判定結果をクレジット認証サーバ１１０に返す。クレジットカード認証サーバ１１０はその与信判定の結果を認証結果として交換機１００に送信し、交換機１００は、その認証結果に応じて電話端末１０に対する回線の接続または切断の制御を行う。
【００３７】
上記電話端末１０は、例えば、図２に示すように構成されている。
【００３８】
図２において、電話端末１０は、送受話部１１、音声処理部１２、カード読込み部１３、暗号化部１４、制御部１５、ダイヤル入力部１６及び表示部１７を有している。制御部１５は上記無線機２０に接続されている。
【００３９】
送受話部１１は、送受話器を有し、利用者からの音声の入力及び利用者に対する音声の出力を行う。音声処理部１２は、送受話部１１からの入力音声信号に対して所定の処理（例えば、符号化処理等）を施し、その処理にて得られた音声信号が制御部１５を介して無線機２０に供給される。また、音声処理部１２は、無線機２０からの受信音声信号に対して処理の処理（例えば、復号処理等）を施し、その処理にて得られた音声信号が送受話部１１に送られる。
【００４０】
カード読込み部１３は、利用者がクレジットカードの読取り操作を行った際に、そのクレジットカードに例えば磁気的に記憶されたクレジットカード番号等のクレジットカード情報を読取る。暗号化部１４は、カード読込み部１３にてクレジットカードから読取られたクレジットカード情報を所定のアルゴリズムに従って暗号化する。この暗号化されたクレジットカード情報は、制御部１５を介して無線機２０に供給され、無線機２０から送信される。
【００４１】
ダイヤル入力部１６は、利用者が通信相手の電話番号等を入力するために用いられ、その操作に対応したダイヤル情報が制御部１５に供給される。表示部１７は、制御部１５の制御のもとにメッセージなどの表示を行う。
【００４２】
制御部１５は、暗号化部１４に対する暗号化処理の開始指示、表示部１７に対するメッセージ表示制御を行うと共に無線機２０に対するインタフェースを行う。また、この制御部１５は、後述するようなクレジットカード番号と論理ＩＤとの対応表をその記憶部に保存してそれらの情報を管理し、発信に際してこのように管理される論理ＩＤの送出制御なども行う。
【００４３】
利用者がクレジットカードを用いて当該電話端末１０から電話をかける場合、上述したようなシステムでは、例えば、次のような処理が行われる。
【００４４】
電話端末１０の制御部１５は、図３、図４及び図７に示す手順に従って処理を行う。また、クレジットカード認証サーバ１１０は、図５に示す手順に従って処理を行い、交換機１００は、図９に示す手順に従って処理を行う。
【００４５】
図３において、電話端末１０の制御部１５は、送受話部１１においてオフフック操作がなされたか否かの判定を行っている（Ｓ１）。この状態で、利用者が電話をかけるためにオフクック操作を行い、そのオフクック操作が検出されると（Ｓ１でＹＥＳ）、制御部１５は、表示部１７に対してクレジットカード読込みメッセージの表示指示を行う。そして、制御部１５は、クレジットカードの読込みが終了したか否かの判定処理を行う（Ｓ３）。
【００４６】
表示部１７は、上記表示指示に従ってクレジットカード読込みメッセージを表示する。このメッセージを見た利用者がカード読込み部１３に対してクレジットカードの読込み操作を行い、そのクレジットカードの読込み操作が完了したことが判定されると（Ｓ３でＹＥＳ）、制御部１５は、カード読込み部１３にてクレジットカードから読取られたクレジットカード情報（クレジットカード番号、利用者ＩＤ、有効期限など）を取得し、記憶部に格納する（Ｓ４）。
【００４７】
そして、制御部１５は、そのクレジットカード情報に含まれるパリティビットを用いた読み取りエラーチェック、そのクレジットカードの有効期限チェックなどの処理を行う（Ｓ５）。その各チェックの結果、そのクレジットカード情報が無効であると判定されると（Ｓ５でＮＧ）、制御部１５は、表示部１７にそのクレジットカードが無効である旨のメッセージを表示させ（Ｓ６）、処理を終了する。この場合、利用者はクレジットカードを利用して電話をかけることができない。
【００４８】
一方、上記各チェックの結果、そのクレジットカード情報が有効なものであると判定されると（Ｓ５でＯＫ）、制御部１５は、表示部１７に対してダイヤル入力指示のメッセージを表示させる（Ｓ７）。そして、制御部１５は、上記のように取得したクレジットカード情報が既に登録されているか否かを判定する（Ｓ８）。このクレジットカード情報の登録については後述する。利用者が始めて当該クレジットカードを使用して電話端末１０から通話を行う状況であって、取得されたクレジットカード情報がまだ登録されていない場合（Ｓ８でＮＯ）、制御部１５は、暗号化部１４に対して取得したクレジットカード情報の暗号化を開始するように指示し（Ｓ９）、暗号化部１４からその暗号化処理が完了した旨の報告を待つ（Ｓ１０）。
【００４９】
この暗号化開始の指示を受けた暗号化部１４は、上記取得されたクレジットカード情報を所定のアルゴリズムに従って暗号化する。そして、その暗号化の処理が終了すると、その旨と共に暗号化されたクレジットカード情報が暗号化部１４から制御部１５に供給される。そして、制御部１５は、その暗号化部１４からの暗号化されたクレジットカード情報を取得し（Ｓ１０でＹＥＳ、Ｓ１１）、図４に示す手順に従って処理を続行する。
【００５０】
図４において、このようにして暗号化されたクレジット情報を取得した制御部１５は、ダイヤル入力部１６からの利用者による相手先の電話番号の入力（ダイヤル入力）が完成しているか否かを判定する（Ｓ１２）。前述したように表示部１７に表示されたダイヤル入力指示のメッセージを見た利用者がダイヤル入力部１６を操作して相手先の電話番号を入力すると（Ｓ１２でＹＥＳ）、制御部１５は、通信の相手先に対する発信処理を行う（Ｓ１３）。この発信処理において相手先の電話番号及びクレジットカード決済である旨を表す情報が無線機２０に供給され、以後、制御部１５は、無線機２０にて接続信号（呼接続を表す信号）が受信されるか否かの判定（Ｓ１４）を繰返し行う。
【００５１】
上記のようにして電話番号及びクレジットカード決済である旨を表す情報が制御部１５から無線機２０に供給されると、当該無線機２０、交換機１００、クレジットカード認証サーバ１１０及びクレジットカードセンタ２００との間で移動通信システムにて予め定められた手順に従って通信が、例えば、図６に示すような手順に従って行われる。
【００５２】
図６において、無線機２０は、着番号（相手先の電話番号）、発番号及びクレジットカード決済である旨を表す情報を含み、発呼要求を表す制御信号（SETUP）を送信する（１）。交換機１００は、基地局１０１を介して上記制御信号（SETUP）を受信すると、それに含まれる情報に基づいてクレジットカード決済での発呼であることを認識する。そして、交換機１００は、通話チャネルでの通信可能な状態であれば、発呼受付を表す制御信号（CALL PROC）を基地局１０１を介して無線機２０に送信し（２）、更に、呼接続を表す制御信号（CONN）を送信する（３）。この呼接続を表す制御信号（CONN）が交換機１００から無線機２０に送信された後に、無線機２０と交換機１００との間が通話チャネルにて接続される（４）。
【００５３】
図４に戻って、上記のように発信処理（Ｓ１３）の後に、無線機２０にて接続信号が受信されるか否かの判定（Ｓ１４）を行っている電話端末１０の制御部１５は、上記のように呼接続を表す制御信号（CONN）が無線機２０にて受信されたことを判定すると（Ｓ１４でＹＥＳ）、上記のように暗号化されたクレジットカード情報を無線機２０に供給する（Ｓ１５）。以後、制御部１５は、切断信号が受信されたか否かの判定（Ｓ１６）及び着側接続信号が受信されたか否かの判定（Ｓ１７）を繰返し行う。
【００５４】
図６に戻って、無線機２０は電話端末１０から供給される暗号化されたクレジットカード情報を上記のように形成された通話チャネルを介して交換機１００に順次送信する（５）。この暗号化されたクレジット情報を受信した交換機１００は、その情報を含む認証要求をクレジットカード認証サーバ１１０に送信する（６）。この認証要求を交換機１００から受信したクレジットカード認証サーバ１１０は、図５に示す手順に従って処理を行う。
【００５５】
図５において、クレジットカード認証サーバ１１０は、交換機１００から認証要求を受信すると（Ｓ５１）、その受信した認証要求に暗号化されたクレジットカード情報または後述するような論理ＩＤのいずれが含まれているかを判定する（Ｓ５２）。上記のように利用者が当該クレジットカードを始めて使用して電話端末１０から電話をかける状況であって、交換機１００からの認証要求に暗号化されたクレジットカード情報が含まれている場合、クレジットカード認証サーバ１１０は、その暗号化されたクレジットカード情報を所定のアルゴリズムに従って復号して元のクレジットカード情報を取得し、そのクレジットカード情報をクレジットカードセンタ２００に送信して与信依頼を行う（Ｓ５３）。この与信依頼を行った後、クレジットカード認証サーバ１１０は、クレジットカードセンタ２００からの与信結果の待ち状態となる（Ｓ５４）。
【００５６】
図６に戻って、上記のようにしてクレジットカード認証サーバ１１０から与信依頼を受けた（７）クレジットカードセンタ２００では、公知の手順に従ってその与信依頼と共に受信したクレジットカード情報に基づいて与信判定処理を行う。そして、その与信判定処理の結果がクレジットカードセンタ２００からクレジットカード認証サーバ１１０に送信される（８）。
【００５７】
図５に戻って、クレジットカード認証サーバ１１０は、上記のようにクレジットカードセンタ２００から与信判定処理の結果を受信すると（Ｓ５４でＹＥＳ）、その判定結果が正常（与信ＯＫ）であるか否かを判定する（Ｓ５５）。この与信結果が正常なものであれば（Ｓ５５でＯＫ）、クレジットカード認証サーバ１１０は、論理ＩＤの登録処理を行う（Ｓ５６）。
【００５８】
この論理ＩＤの登録処理では、クレジットカード情報と電話端末１０の発番号（電話番号）とに固有のＩＤ情報（論理ＩＤ）が付与される。そして、その論理ＩＤが例えば図１０に示すような論理ＩＤ管理表にその電話番号及びクレジットカード情報に対応するように登録される。
【００５９】
このように論理ＩＤの登録処理が終了すると、クレジットカード認証サーバ１１０は、上記登録された論理ＩＤと共に上記与信結果に対応した認証結果（認証ＯＫ）を交換機１００に送信する（Ｓ５７）。
【００６０】
図６に戻って、正常な認証結果（認証ＯＫ）と共に論理ＩＤがクレジットカード認証サーバ１１０から交換機１００に送信されると（９）、交換機１００は、着側接続信号と共にその論理ＩＤを基地局１０１を介して無線機２０に送信する。そして、交換機１００は呼接続要求を表す制御信号（SETUP）に含まれる着番号で特定される相手先の電話端末に対する交換接続処理を行う。その結果、上記着側接続信号を受信した無線機２０が着側の電話端末に回線接続される（１１）。その結果、電話端末１０の利用者は、無線機２０、基地局１０１、交換機１００及び通信網ＮＷを介して相手先の電話端末と通信（通話）を行うことができる。
【００６１】
図４に戻って、上述したように暗号化されたクレジットカード情報の送信が終了（Ｓ１５）した後に、切断信号が受信されるか否かの判定（Ｓ１６）及び着側接続信号が受信されるか否かの判定（Ｓ１７）を繰返し行う電話端末１０の制御部１５は、上記のように無線機２０が交換機１００から着側接続信号を受信したと判定すると（Ｓ１６でＮＯ、Ｓ１７でＹＥＳ）、その着側接続信号と共に交換機１００から受信した論理ＩＤの登録処理を行う（Ｓ１８）。
【００６２】
この論理ＩＤの登録処理では、取得されたクレジットカード情報（図３におけるＳ２〜Ｓ４参照）に含まれるクレジットカード番号に対応するように、例えば、図１１に示すような論理ＩＤ管理表に上記受信した論理ＩＤが登録される。この倫理ＩＤ管理表は、制御部１５における記憶部に格納されている。
【００６３】
このように論理ＩＤの登録処理が終了すると、制御部１５は、当該電話端末１０と着側の電話端末との間での通信処理を行う（Ｓ１９）と共に通話が終了して回線の切断がなされるか否かの判定を行う（Ｓ２０）。そして、通話が終了して回線の切断がなされると（Ｓ２０でＹＥＳ）、制御部１５は、所定の終了処理（課金表示等）を行って（Ｓ２１）、全ての処理を終了する。
【００６４】
図５に戻って、クレジットカードセンタ２００での与信判定処理の結果が正常でない場合（与信ＮＧ）、その与信結果を受信したクレジットカード認証サーバ１１０は、その与信結果（Ｓ５５でＮＧ）に基づいて、認証拒絶の情報（認証ＮＧ）を交換機１００に送信する（Ｓ５９）。そして、クレジットカード認証サーバ１１０は、論理ＩＤ管理表（図１０参照）を参照して、受信したクレジットカード情報に含まれるクレジットカード番号及び発側の電話番号に対応した論理ＩＤが登録されているか否かを判定する（Ｓ６０）。そのクレジットカード番号及び電話番号に対応した論理ＩＤが登録されていない場合（Ｓ６０）、クレジットカード認証サーバ１１０での処理が終了する。
【００６５】
交換機１００は、上記のようにクレジットカード認証サーバ１１０から認証拒絶の情報（認証ＮＧ）を受信すると、切断信号を基地局１０１を介して無線機２０に送信する。図４に戻って、上述したように暗号化されたクレジットカード情報の送信が終了（Ｓ１５）した後に、切断信号が受信されるか否かの判定（Ｓ１６）及び着側接続信号が受信されるか否かの判定（Ｓ１７）を繰返し行う電話端末１０の制御部１５は、上記のように無線機２０が交換機１００から切断を受信したと判定すると（Ｓ１６でＹＥＳ）、表示部１７にクレジットカードの「取り扱い不可」のメッセージを表示させ（Ｓ２２）、その後、処理を終了する。この場合、無線機２０と交換機１００との間の通話チャネルが切断され、利用者は、クレジットカード決済による通話を行うことができない。
【００６６】
上述したように、利用者があるクレジットカードを始めて使用して電話端末１０から電話をかける際に、そのクレジットカードから読み出されたクレジットカード番号とそれに付与された論理ＩＤとの対応関係が電話端末１０及びクレジットカード認証サーバ１１０における論理ＩＤ管理表（図１０、図１１参照）に登録される。この状態で、再びそのクレジットカードを使用して電話端末１０から通話を行う際には、以下のような処理がなされる。
【００６７】
図３において、電話端末１０の制御部１５は、オフフックがなされた後に、読み込まれたクレジットカード情報のチェックし、そのクレジットカード情報が有効であると判定すると（Ｓ１〜Ｓ５）、表示部１７にダイヤル入力指示表示をさせる（Ｓ７）。その後、制御部１５は、その読み込まれたクレジットカード情報に含まれるクレジットカード番号が上記論理ＩＤ管理表（図１１参照）に登録されていると判定すると（Ｓ８でＹＥＳ）、図７に示す手順に従って処理を継続する。
【００６８】
図７において、制御部１５は、前述した場合（図４におけるＳ１２）と同様に、通信相手の電話番号の入力操作（ダイヤル入力操作）が終了しているか否かを判定する。このダイヤル入力操作が終了していると判定すると（Ｓ３１でＹＥＳ）、上記論理ＩＤ管理表（図１１参照）を参照して読み込まれたクレジットカード番号に対応する論理ＩＤを取得する（Ｓ３２）。このように論理ＩＤを取得した後に、制御部１５は、上記のようにダイヤル入力された電話番号に基づいて発信処理を行う（Ｓ３３）。そして、制御部１５は、接続信号の待ち状態となる（Ｓ３４）。
【００６９】
上記発信処理が開始により、無線機２０、交換機１００、クレジット認証サーバ１１０及びクレジットカードセンタ２００との間で例えば、図８に示すような手順に従って通信が行われる。
【００７０】
図８において、無線機２０は、着番号、発番号、上記のよう読み込まれたクレジットカード番号に対応した論理ＩＤ及びクレジットカード決済である旨を表す情報を含み、発呼要求を表す制御信号（SETUP）を送信する（１）。交換機１００は、基地局１０１を介して上記制御信号（SETUP）を受信すると、それに含まれる情報に基づいてクレジットカード決済での発呼であることを認識する。そして、交換機１００は、通信可能な状態であれば、無線機２０を通信相手の端末に回線交換接続するため、各制御信号（CALL PROC、CONN）を基地局１０１を介して無線機２０に送信する（２、３）
図７に戻って、上記のように接続信号の待ち状態となる電話端末１０の制御部１５は、無線機２０にて接続信号（制御信号CONN）が受信されたことを判定すると（Ｓ３４でＹＥＳ）、交換機１００によって回線交換接続された通信相手の端末との通信処理を開始し（Ｓ３５）、その通信処理の過程で、切断信号が受信されるか否かの判定を繰返し行う（Ｓ３６）。
【００７１】
図８に戻って、上記のような各制御信号により無線機２０が通信相手の端末に回線交換接続されると（４）、交換機１００は、それと並行して、無線機２０から受信した制御信号（SETUP）に含まれていた論理ＩＤと共に認証要求をクレジットカード認証サーバ１１０に送信する（５）。
【００７２】
図５に戻って、このように認証要求を受信した（Ｓ５１）クレジットカード認証サーバ１１０は、その認証要求に含まれる情報が論理ＩＤであると判定すると（Ｓ５２）、論理ＩＤ管理表（図１０参照）を参照して、その論理ＩＤに対応するクレジットカード情報を取得する（Ｓ５８）。そして、クレジットカード認証サーバ１１０は、このクレジットカード情報と共に与信依頼をクレジットカードセンタ２００に送信する（Ｓ５３）。その後、クレジットカード認証サーバ１１０は、与信結果の待ち状態となる（Ｓ５４）。
【００７３】
図８に戻って、上記のようにしてクレジットカード認証サーバ１１０から与信依頼がクレジットカードセンタ２００に送信されると（６）、クレジットカードセンタ２００は、前述の場合と同様に、与信依頼と共に受信したクレジットカード情報に基づいて与信判定処理を行う。そして、その与信判定処理の結果が正常でない場合（与信ＮＧ）、クレジットカードセンタ２００は、その与信判定結果（与信ＮＧ）をクレジットカード認証サーバ１１０に送信する（７）。
【００７４】
図５に戻って、上記のように与信結果の待ち状態となる（Ｓ５４）クレジットカード認証サーバ１１０は、上記のような与信判定結果を受信し、その結果が正常でないもの（与信ＮＧ）と判定すると（Ｓ５４でＹＥＳ、Ｓ５５でＮＧ）、クレジットカード認証サーバ１１０は、認証拒絶を表す認証結果（認証ＮＧ）を上記のように受信した論理ＩＤと共に交換機１００に送信する（Ｓ５９）。そして、クレジットカード認証サーバ１１０は、その論理ＩＤが既に論理ＩＤ管理表（図１０参照）に登録されていると判定すると（Ｓ６０でＹＥＳ）、その論理ＩＤ及びそれに対応する電話番号及びクレジットカード情報を論理ＩＤ管理表から削除する（Ｓ６１）。以後、正常な与信判定がなされなかたクレジットカード情報と論理ＩＤの対応関係の管理はなされない。
【００７５】
図８に戻って、上記のようにクレジットカード認証サーバ１１０から認証拒絶を表す認証結果（認証ＮＧ）及び論理ＩＤが交換機１００に送信されると（８）、交換機１００は、切断信号を上記認証結果（認証ＮＧ）及び論理ＩＤと共に無線機２０に送信する（９）。その結果、無線機２０と通信相手の端末との間の回線が切断される（１０）。
【００７６】
図７に戻って、上記のように回線交換接続により接続される無線機２０と通信相手の端末との間の通信制御処理を行う制御部１５は、上記のように無線機２０にて切断信号を受信したと判定すると（Ｓ３６でＹＥＳ）、その切断信号と共に受信した認証結果が正常なものであるか否かを判定する（Ｓ３７）。上記のように認証拒絶を表す認証結果（認証ＮＧ）を無線機２０が受信しているので（Ｓ３７でＮＯ）、制御部１５は、その認証結果と共に無線機２０にて受信された論理ＩＤ及び対応するクレジットカード番号を論理ＩＤ管理表（図１１参照）から削除する（Ｓ４０）。その後、終了処理が行われる（Ｓ３９）。以後、電話端末１０では上記クレジットカード番号と論理ＩＤとの対応関係の管理はなされない。
【００７７】
図８に戻って、上述したようにクレジットカード認証サーバ１１０からの与信依頼（６）に基づいてクレジットカードセンタ２００にてなされた与信判定処理の結果、正常な与信結果（与信ＯＫ）が得られると、クレジットカードセンタ２００は、その与信結果（与信ＯＫ）をクレジットカード認証サーバ１１０に送信する（１１）。
【００７８】
図５に戻って、上記のように与信結果の待ち状態となる（Ｓ５４）クレジットカード認証サーバ１１０は、上記のような与信判定結果を受信し、その結果が正常であると（与信ＯＫ）判定すると（Ｓ５４でＹＥ、Ｓ５５でＯＫ）、クレジットカード認証サーバ１１０は、論理ＩＤ管理表に登録されている今回使用した論理ＩＤを新たな論理ＩＤに更新する（Ｓ５６）。そして、クレジットカード認証サーバ１１０は、正常な認証がなされ旨の認証結果（認証ＯＫ）を上記新たな論理ＩＤと共に交換機１００に送信する（Ｓ５７）。
【００７９】
図８に戻って、上記のようにして正常な認証がなされた旨の認証結果（認証ＯＫ）がクレジットカード認証サーバ１１０から交換機１００に送信されると（１２）、交換機１００は、無線機２０と通信相手の端末との間の回線交換接続を維持し、電話端末１０と通信相手の端末との間で通信（通話）が行われる。そして、その通信が終了すると、交換機１００は、切断信号を上記認証結果（ＯＫ）及び新たな論理ＩＤと共に無線機２０に送信する（１３）。
【００８０】
図７に戻って、上記のように無線機２０に切断信号が受信されたか否かを判定しつつ（Ｓ３６）、通信制御処理を行う電話端末１０の制御部１５は、上記のように無線機２０が交換機１００から切断信号を受信したと判定すると（Ｓ３６でＹＥＳ）、その切断信号と共に受信された認証結果が正常な認証がなされた旨の認証結果であるか否かを判定する（Ｓ３７）。そして、その認証結果が正常な認証がなされた旨の認証結果であると（Ｓ３７でＹＥＳ）、制御部１５は、論理ＩＤ管理表（図１１参照）において、前述したように読取られたクレジットカード番号に対応する論理ＩＤを上記切断信号と共に受信された新たな論理ＩＤに更新する（Ｓ３８）。その後、所定の終了処理が行われて（Ｓ３９）、制御部１５での処理が終了される。
【００８１】
以後、同じクレジットカードを使用して通話を行う場合には、電話端末１０の制御部１５は、図３、図７に示す手順に従って処理を行い、クレジットカード認証サーバ１１０は、図５に示す手順に従って処理を行い、無線機２０、クレジットカード認証サーバ１１０及びクレジットカードセンタ２００は、図８に示す手順に従って通信を行う。その結果、無線機２０から基地局１０１を介して交換機１００にはクレジットカード情報に代えて論理ＩＤが送信されると共に、交換機１００からクレジットカード認証サーバ１１０に対してクレジットカード情報に代えてその論理ＩＤが送信されることになる。
【００８２】
上述した例では、電話端末１０にて読取られたクレジットカード情報に対応する論理ＩＤが論理ＩＤ管理表（図１１）に登録されていない場合には、電話端末１０に接続された無線機２０からクレジットカード情報が送信され、そのクレジットカード情報がクレジットカードセンタ２００に通知される。そして、そのクレジットカード情報に基づいてクレジットカードセンタ２００にて正常な与信判定結果が得られると、電話端末１０の通信が可能になると共に、そのクレジットカード情報に対応する論理ＩＤがクレジットカード認証サーバ１１０及び電話端末１０の論理ＩＤ管理表（図１０及び図１１）に登録される。これにより、通信システム内では、この論理ＩＤを確認するだけで実質的に与信判定を行うことができる。即ち、電話端末１０にて読取られたクレジットカード情報に対応する論理ＩＤが登録されていることを確認するだけで、正常な与信判定がなされたと見なし得ることができるようになる。
【００８３】
上記のようにクレジットカード情報に対応した論理ＩＤが登録された状態で、次に同じクレジットカード情報が電話端末１０にて読取られると、電話端末１０に接続された無線機２０からそのクレジットカード情報に対応した論理ＩＤが送信されると、クレジットカードセンタ２００での実際の与信判定処理が行われる前に、当該電話端末１０は通信可能な状態となる。このようにクレジットカード情報に基づいた与信判定処理の前に通信が可能となるので、電話端末１０の利用者は、クレジットカード情報の読込操作を行った後により迅速に通話が可能となる。
【００８４】
その後、クレジットカード認証サーバ１１０からその論理ＩＤに対応したクレジットカード情報がクレジットカードセンタ２００に送信され、クレジットカードセンタ２００にて正常な与信判定結果が得られれば、上記電話端末１０の通信可能な状態は維持され、正常でない与信判定結果が得られれば、上記電話端末１０の通信は切断される。
【００８５】
また、このようにクレジットカード情報より情報量の少ない論理ＩＤ情報が用いられるので、無線機２０と通信相手となる端末との間の回線交換接続するための処理時間が短縮される。また、クレジットカード情報が無線機２０と基地局１０１との間の無線区間及び基地局１０１から交換機１００を経由したクレジットカード認証サーバ１１０に至る有線区間を伝送されなくなるので、セキュリティの向上が図られる。更に、１回の通話毎にクレジットカード情報に対応する論理ＩＤが更新されるので、更に高いセキュリティを得ることができる。
【００８６】
なお、交換機１０での更に詳細な処理手順は、例えば、図９に示すようになっている。
【００８７】
図９において、交換機１００は、前述したように無線機２０からの発呼要求に係る制御信号の受信（Ｓ７１）、その制御信号に対する応答としての発呼受付に係る信号の無線機２０への送信（Ｓ７２）、暗号化されたクレジットカード情報または論理ＩＤの受信（Ｓ７３）の各処理、更に、クレジットカード認証サーバ１１０との接続処理（Ｓ７４）、クレジットカード認証サーバ１０への認証依頼（Ｓ７５）を行う。そして、交換機１００は、クレジットカードの与信判定結果に基づいて利用者の認証が正常になされたか否かの判定を行う（Ｓ７６）。
【００８８】
この認証が正常になされると（Ｓ７６でＯＫ）、交換機１００は、上述した着側接続信号を送信して無線機２０と相手方の端末との回線交換接続を行い（図６における（１１）、図８における（４）参照）、通話時間のカウントを開始する（Ｓ７７）。このように通話時間のカウントが開始されると、交換機１００は、通信を行ういずれかの端末でのオンフック操作に基づいた切断信号が受信されるか否かの判定を繰返し行う（Ｓ７８）。そして、切断信号が受信されると（Ｓ７８でＹＥＳ）、上記通話時間のカウントが停止される（Ｓ７９）。その後、交換機１００は、その通話時間のカウント結果に対応した通話料金を演算し、クレジットカードセンタ２００に通話料金の請求を行うべく、その通話料金の請求信号をクレジットカード認証サーバ１１０に送信する（Ｓ８０）。
【００８９】
上記例において、クレジットカード情報と論理ＩＤとの対応関係の管理は、クレジットカード認証サーバ１１０にて行うようにしたが、それに限られず、例えば、その管理を行う専用のサーバを設けることも、また、その管理を交換機１００にて行うことも可能である。
【００９０】
また、上記例では、クレジットカード認証サーバ１１０にて、クレジットカード情報、発信元電話番号及び論理ＩＤの対応関係を管理するようにしている（図１０参照）が、電話端末１０での管理と同様に、発信元電話番号についての管理を行わずにクレジットカード情報と論理ＩＤの対応関係だけを管理するようにしてもよい。その場合、他のクレジットカード決済型電話端末からクレジットカードを使用して発信する場合にも、上記と同様の処理が行われる。
【００９１】
更に、上記例では、電話端末から始めてクレジットカードを使用して通話を行う際に、クレジットカード情報と論理ＩＤとの対応関係が登録されるようにしているが、予め、クレジットカード情報を例えばサースセンタ（クレジットカード認証サーバ１１０が設置される）に予め登録しておき（電話、郵便、サービス係員に対する直接申込みなどにより）、そのサービスセンタにて発行される論理ＩＤとそのクレジットカード情報との対応関係を管理するようにしてもよい。
【００９２】
また、上記例では、クレジットカードに磁気的に記憶されたクレジットカード情報をカード読込部１３により読み込むようにしているが、利用者が暗証番号と共にクレジットカード情報を電話端末１０のダイヤル入力部１６を入力するようにしてもよい。
【００９３】
更にまた、上記例では、クレジットカード決済型電話端末１０を無線機２０に接続して移動通信システムにて利用するものであったが、固定電話機をクレジットカード決済型電話端末とすることもできる。
【００９４】
上記例では、クレジットカード情報を暗号化して無線機２０から基地局１０１、交換機１００を介してクレジットカード認証サーバ１１０に転送されるようにしたが、特に暗号化しないクレジットカード情報を上記の経路にてクレジットカード認証サーバ１１０に転送することも可能である。この場合、無線機２０と基地局１０１との間の無線区間が通話チャネルにて接続され、このクレジットカード情報がその通話チャネルを介して転送されるので、クレジットカード情報の無線区間における秘匿性もある程度保たれる。
【００９５】
また、上記例において、図２に示す電話端末の制御部１５内に設けられた記憶部及びクレジットカード認証サーバ１１０の格納機能が管理情報格納手段に対応し、クレジットカード認証サーバ１１０が情報管理装置に対応し、図３に示すＳ８での処理が判定手段に対応し、図７に示すＳ３２、Ｓ３３での処理が識別情報送信制御手段に対応する。また、図８に示す手順（４）での交換機１００の機能が与信前通信許容制御手段に対応し、図５に示すＳ５８、Ｓ５３での処理が対応クレジットカード情報送信制御手段に対応する。
【００９６】
図５に示すＳ５６での処理が管理情報登録手段及び識別情報更新手段に対応し、図４に示すＳ１８での処理も管理情報登録手段に対応し、図７に示すＳ３８での処理も識別情報更新手段に対応する。
【００９７】
図８に示す手順（１２）と（１３）との間の交換機１００での処理機能が通信継続制御手段に対応し、図８に示す手順（１０）での交換機１００の処理機能が通信状態切替え制御手段に対応する。また、図５に示すＳ６１での処理及び図７に示すＳ４０での処理が管理情報削除手段に対応する。
【００９８】
【発明の効果】
以上、説明したように、請求項１乃至２３記載の本願発明によれば、与信機関にてクレジットカード情報に基づいた与信結果が得られる前に電話端末と相手方の端末との間の通信が可能となるように制御されるので、クレジットカード決済型電話通信システムにおいてクレジットカード情報を電話端末に入力してから通信が可能になるまでの時間をより短くすることができるような通信制御方法及びシステムを提供することが可能となる。
【００９９】
請求項２４乃至２８記載の本願は発明によれば、上記のような通信制御方法及びシステムに適したクレジット決済型電話端末を提供することが可能となる。
【０１００】
また、請求項２９乃至３４記載の本願発明によれば、上記のような通信制御方法及びシステムに適した情報管理装置を提供することが可能となる。
【図面の簡単な説明】
【図１】本発明の実施の一形態に係るクレジットカード決済型電話通信システムの構成例を示す図である。
【図２】クレジットカード決済型電話端末の構成例を示すブロック図である。
【図３】電話端末における制御部での処理手順の一例（その１）を示すフローチャートである。
【図４】電話端末における制御部での処理手順の一例（その２）を示すフローチャートである。
【図５】クレジットカード認証サーバでの処理手順の一例を示すフローチャートである。
【図６】無線機、交換機、クレジットカード認証サーバ及びクレジットカードセンタの間の通信手順の一例を示すシーケンス図である。
【図７】電話端末における制御部での処理手順の一例（その３）を示すフローチャートである。
【図８】無線機、交換機、クレジットカード認証サーバ及びクレジットカードセンタの間の通信手順の他の一例を示すシーケンス図である。
【図９】交換機での処理手順の一例を示すフローチャートである。
【図１０】クレジットカード認証サーバにて格納される論理ＩＤ管理表の一例を示す図である。
【図１１】電話端末にて格納される論理ＩＤ管理表の一例を示す図である。
【符号の説明】
１０  電話端末（クレジットカード決済型電話端末）
１１  送受話部
１２  音声処理部
１３  カード読込み部
１４  暗号化部
１５  制御部
１６  ダイヤル入力部
１７  表示部
２０  無線機
１００  交換機
１０１  基地局
１１０  クレジットカード認証サーバ
２００  クレジットカードセンタ
【図１】
0003871108.tif 000002
【図２】
0003871108.tif 000003
【図３】
0003871108.tif 000004
【図４】
0003871108.tif 000005
【図５】
0003871108.tif 000006
【図６】
0003871108.tif 000007
【図７】
0003871108.tif 000008
【図８】
0003871108.tif 000009
【図９】
0003871108.tif 000010
【図１０】
0003871108.tif 000011
【図１１】
0003871108.tif 000012